(57)【要約】【課題】限られた表示領域を有効に利用して、分類された複数枚の写真の一覧表示をする。【解決手段】複数の画像はその撮影日時情報が読み取られ、その情報を基に「撮影月毎」のグループに分類される。そして、分類されたグループ毎の画像の数がカウントされる。さらに、カウントされた画像の数が規定画像数を超えるか否かが判定される。規定画像数以下と判定された各グループに分類された画像は、表示キューにそのまま「撮影月毎」に蓄積される。また、規定画像数を超えると判定された各グループに分類された画像は、更に細かく「撮影日毎」のグループに分類され、表示キューに「撮影日毎」に蓄積される。そして、モニタには、「撮影月毎」及び「撮影日毎」のグループのいずれに分類されて表示キューに蓄積された画像の一覧表示がされる。【選択図】図７
2007304862.tif 000002
【特許請求の範囲】
【請求項１】
複数の画像データをその付帯情報を基に所定のカテゴリーのグループに分類してモニタに一覧表示をする画像表示方法において、
一覧表示をする各画像データからその付帯情報を読み取る付帯情報読取ステップと、
読み取られた前記付帯情報を基に前記複数の画像データを所定のカテゴリーのグループに分類する画像分類ステップと、
分類された各グループ内の画像データの数をカウントする画像カウントステップと、
カウントされた前記画像データの数が規定画像数を超えるか否かを判定する画像数判定ステップと、
前記規定画像数を超えると判定された前記グループ内の前記画像データについて、その付帯情報を基に下位階層のカテゴリーのグループに分類する画像細分類ステップとを有し、
分類された前記画像データを表示キューに前記グループ毎に蓄積し、前記表示キューに蓄積された前記画像データを前記モニタに一覧表示をすることを特徴とする画像表示方法。
【請求項２】
前記画像細分類ステップの後に、その画像細分類ステップにより分類された前記各グループに対して、更に前記画像カウントステップと、前記画像数判定ステップと、前記画像細分類ステップとを少なくとも１回は行うことを特徴とする請求項１記載の画像表示方法。
【請求項３】
前記画像データの前記モニタへの表示サイズを決定する画像サイズ決定ステップを含み、決定された表示サイズを基に前記規定画像数を決定することを特徴とする請求項１又は請求項２記載の画像表示方法。
【請求項４】
前記複数の画像データの一覧表示をする表示領域のサイズを決定する領域サイズ決定ステップを含み、決定された表示領域のサイズを基に前記規定画像数を決定することを特徴とする請求項１ないし請求項３いずれか記載の画像表示方法。
【請求項５】
前記モニタには、前記画像データの分類に用いた前記付帯情報が前記グループ毎に分類タグとして表示されることを特徴とする請求項１ないし請求項４いずれか記載の画像表示方法。
【請求項６】
前記分類タグの表示態様は、前記カテゴリーの階層によって異なることを特徴とする請求項５記載の画像表示方法。
【請求項７】
前記画像データの表示態様は、前記カテゴリーの階層によって異なることを特徴とする請求項１ないし請求項６いずれか記載の画像表示方法。
【請求項８】
前記カテゴリーは、撮影日時であることを特徴とする請求項１ないし請求項７いずれか記載の画像表示方法。
【請求項９】
前記カテゴリーは、撮影位置であることを特徴とする請求項１ないし請求項７いずれか記載の画像表示方法。
【請求項１０】
複数の画像データをその付帯情報を基に所定のカテゴリーのグループに分類してモニタに一覧表示をする画像表示装置に用いられる画像表示プログラムにおいて、
一覧表示をする各画像データからその付帯情報を読み取る付帯情報読取ステップと、
読み取られた前記付帯情報を基に前記複数の画像データを所定のカテゴリーのグループに分類する画像分類ステップと、
分類された各グループ内の画像データの数をカウントする画像カウントステップと、
カウントされた前記画像データの数が規定画像数を超えるか否かを判定する画像数判定ステップと、
前記規定画像数を超えると判定された前記グループ内の前記画像データについて、その付帯情報を基に下位階層のカテゴリーのグループに分類する画像細分類ステップとを実行させ、
分類された前記画像データを表示キューに前記グループ毎に蓄積させ、前記表示キューに蓄積された前記画像データを前記モニタに一覧表示をさせることを特徴とする画像表示プログラム。
【請求項１１】
前記画像細分類ステップの後に、その画像細分類ステップにより分類された前記各グループに対して、更に前記画像カウントステップと、前記画像数判定ステップと、前記画像細分類ステップとを少なくとも１回は実行させることを特徴とする請求項１０記載の画像表示プログラム。
【発明の詳細な説明】
【技術分野】
【０００１】
本発明は、画像表示方法及び画像表示プログラムに関する。
【背景技術】
【０００２】
デジタルカメラで撮影された複数枚の写真を、その画像データが保存されるパーソナルコンピュータのモニタや、デジタルカメラ本体のモニタに、マトリクス状に配列されたインデックスとして一覧表示をする画像表示方法が知られている（例えば、特許文献１〜３参照）。インデックスとして一覧表示をすることで、複数枚の写真を一度にまとめて見ることができ、写真の撮影された時間的な前後関係を把握することができる。
【０００３】
特許文献１〜３の画像表示方法では、複数枚の写真を単純にマトリクス状に配列してインデックスとして一覧表示をするだけでなく、同時期に撮影された写真の集合を把握し易くするために、所定期間毎のグループに分類してからグループ毎に表示領域を区分けして一覧表示をしている。
【特許文献１】特開平１１−２１５４５７号公報
【特許文献２】特開２００３−１９９０２８号公報
【特許文献３】特開２００４−３５５４９３号公報
【発明の開示】
【発明が解決しようとする課題】
【０００４】
しかしながら、所定期間毎の各グループ内の写真の枚数は一定ではない。そのため、写真が数枚程度しか含まれないグループの表示領域には、写真が表示されない余白部分が生じてしまう。例えば、図１２に示すように、「撮影日毎」のグループに分類された複数枚の写真を行毎に区分けした上で左詰めにして一覧表示をする場合において、分類された写真の枚数の少ないグループが複数あると、表示領域の右側に大きな余白部分が生じることになる。これでは、限られた表示領域を有効に利用して複数枚の写真の一覧表示をするといった本来の目的が失われている。
【０００５】
本発明は、限られた表示領域を有効に利用して、分類された複数枚の写真の一覧表示をすることを目的とする。
【課題を解決するための手段】
【０００６】
上記目的を達成するために、本発明の画像表示方法において、複数の画像データをその付帯情報を基に所定のカテゴリーのグループに分類してモニタに一覧表示をする画像表示方法において、一覧表示をする各画像データからその付帯情報を読み取る付帯情報読取ステップと、読み取られた付帯情報を基に複数の画像データを所定のカテゴリーのグループに分類する画像分類ステップと、分類された各グループ内の画像データの数をカウントする画像カウントステップと、カウントされた画像データの数が規定画像数を超えるか否かを判定する画像数判定ステップと、規定画像数を超えると判定されたグループ内の画像データについて、その付帯情報を基に下位階層のカテゴリーのグループに分類する画像細分類ステップとを有し、分類された画像データを表示キューにグループ毎に蓄積し、表示キューに蓄積された画像データをモニタに一覧表示をすることを特徴とする。
【０００７】
なお、画像細分類ステップの後に、その画像細分類ステップにより分類された各グループに対して、更に画像カウントステップと、画像数判定ステップと、画像細分類ステップとを少なくとも１回は行うことが好ましい。
【０００８】
また、画像データのモニタへの表示サイズを決定する画像サイズ決定ステップを含み、決定された表示サイズを基に規定画像数を決定することが好ましい。
【０００９】
または、複数の画像データの一覧表示をする表示領域のサイズを決定する領域サイズ決定ステップを含み、決定された表示領域のサイズを基に規定画像数を決定することが好ましい。
【００１０】
さらに、モニタには、画像データの分類に用いた付帯情報がグループ毎に分類タグとして表示されることが好ましい。
【００１１】
さらに、分類タグの表示態様は、カテゴリーの階層によって異なることが好ましい。
【００１２】
さらに、画像データの表示態様は、カテゴリーの階層によって異なることが好ましい。
【００１３】
さらに、カテゴリーは、撮影日時であることが好ましい。
【００１４】
または、カテゴリーは、撮影位置であることが好ましい。
【００１５】
本発明の画像表示プログラムは、複数の画像データをその付帯情報を基に所定のカテゴリーのグループに分類してモニタに一覧表示をする画像表示装置に用いられる画像表示プログラムであって、一覧表示をする各画像データからその付帯情報を読み取る付帯情報読取ステップと、読み取られた付帯情報を基に複数の画像データを所定のカテゴリーのグループに分類する画像分類ステップと、分類された各グループ内の画像データの数をカウントする画像カウントステップと、カウントされた画像データの数が規定画像数を超えるか否かを判定する画像数判定ステップと、規定画像数を超えると判定されたグループ内の画像データについて、その付帯情報を基に下位階層のカテゴリーのグループに分類する画像細分類ステップとを実行させ、分類された画像データを表示キューにグループ毎に蓄積させ、表示キューに蓄積された画像データをモニタに一覧表示させることを特徴とする。
【００１６】
なお、画像細分類ステップの後に、その画像細分類ステップにより分類された各グループに対して、更に画像カウントステップと、画像数判定ステップと、画像細分類ステップとを少なくとも１回は実行させることが好ましい。
【発明の効果】
【００１７】
本発明によれば、一覧表示をする各画像データからその付帯情報を読み取る付帯情報読取ステップと、読み取られた付帯情報を基に複数の画像データを所定のカテゴリーのグループに分類する画像分類ステップと、分類された各グループ内の画像データの数をカウントする画像カウントステップと、カウントされた画像データの数が規定画像数を超えるか否かを判定する画像数判定ステップと、規定画像数を超えると判定されたグループ内の画像データについて、その付帯情報を基に下位階層のカテゴリーのグループに分類する画像細分類ステップとを有し、分類された画像データを表示キューにグループ毎に蓄積し、表示キューに蓄積された画像データをモニタに一覧表示をすることより、同位カテゴリーのグループのみに分類する場合と比較すると、各グループ内に含まれる画像データの数のばらつきを抑えることができ、多くの画像データの一覧表示をすることができる。
【００１８】
また、画像細分類ステップの後に、その画像細分類ステップにより分類された各グループに対して、更に画像カウントステップと、画像数判定ステップと、画像細分類ステップとを少なくとも１回は行うことより、各グループ内に含まれる画像データの数のばらつきをさらに抑えることができ、より多くの画像データの一覧表示をすることができる。
【００１９】
さらに、画像カウントステップの前に、画像データのモニタへの表示サイズを決定する画像サイズ決定ステップを含み、決定された表示サイズを基に規定画像数を決定することより、画像データのモニタへの表示サイズに応じて一覧表示をすることができる。
【００２０】
さらに、画像サイズ決定ステップにおいて、画像データのモニタへの表示サイズを変更する決定がされた場合、表示キューに蓄積された画像データを消去し、モニタへの複数の画像データの一覧表示を消去することより、画像データのモニタへの表示サイズの変更に応じて一覧表示をすることができる。
【００２１】
さらに、画像カウントステップの前に、複数の画像データの一覧表示をする表示領域のサイズを決定する領域サイズ決定ステップを含み、決定された表示領域のサイズを基に規定画像数を決定することより、表示領域のサイズに応じて一覧表示をすることができる。
【００２２】
または、領域サイズ決定ステップにおいて、複数の画像データの一覧表示をする表示領域のサイズを変更する決定がされた場合、表示キューに蓄積された画像データを消去し、モニタへの複数の画像データの一覧表示を消去することより、表示領域のサイズの変更に応じて一覧表示をすることができる。
【００２３】
また、モニタには、画像データの分類に用いた付帯情報がグループ毎に分類タグとして表示されることより、画像データの分類状況を把握することができる。
【００２４】
さらに、分類タグの表示態様は、カテゴリーの階層によって異なることより、画像データの分類状況を容易に把握することができる。
【００２５】
さらに、画像データの表示態様は、カテゴリーの階層によって異なることより、画像データの分類状況を容易に把握することができる。
【発明を実施するための最良の形態】
【００２６】
図１に示す画像表示装置１１は、モニタ１２に複数の画像の一覧表示をする装置であり、例えば、パーソナルコンピュータに画像表示プログラムをインストールして実現される。画像表示装置１１は、モニタ１２、ＣＰＵ１３、操作部１４、データストレージデバイス（以下、単に「ストレージ」という）１５、ＲＡＭ１６、カードリーダ１７及び、ＵＳＢコントローラ１８からなる。ＣＰＵ１３は、操作部１４から入力される操作指示に従って装置全体を統括的に制御する。ストレージ１５には、画像表示プログラム（以下、単に「プログラム」という）１９が格納されている。ＣＰＵ１３は、このプログラム１９をＲＡＭ１６にロードして、プログラム１９に記述された処理ステップを実行することにより、画像の一覧表示をする。ＲＡＭ１６は、ＣＰＵ１３が処理を実行するために使用する作業用メモリである。
【００２７】
モニタ１２は、画像の一覧表示をするとともに、プログラム１９の各種操作画面を表示する。ユーザは、各種操作画面を見ながら操作部１４を操作する。メモリカード２０は、デジタルカメラ等によって撮影された画像をデジタルデータとして格納する画像記憶媒体である。カードリーダ１７は、メモリカード２０にアクセスして画像を取り込む。ＵＳＢコントローラ１８には、画像記憶媒体であるＵＳＢメモリや、例えば、デジタルカメラといった外部機器にアクセスするためのＵＳＢケーブル２１を接続することができる。
【００２８】
プログラム１９が起動されて、ユーザによって一覧表示の指示が与えられると、カードリーダ１７は画像Ｐｉｃ１〜ＰｉｃＸを取り込む。ＣＰＵ１３は、取り込まれた複数の画像Ｐｉｃ１〜ＰｉｃＸのそれぞれから撮影日時情報（付帯情報）を読み取り、その情報を基に複数の画像Ｐｉｃ１〜ＰｉｃＸに対して所定の分類処理をする。この分類処理によって、複数の画像Ｐｉｃ１〜ＰｉｃＸを所定のグループに分類し、表示キューに蓄積する。そして、表示キューにグループ毎に蓄積した複数の画像Ｐｉｃ１〜ＰｉｃＸを、グループ毎に横に配列し、その各グループを縦に配列したマトリクス形式としてモニタ１２に一覧表示をする。
【００２９】
具体的には、一覧表示は、例えば図２に示すようにグループＡに分類された画像Ｐｉｃ１０１〜Ｐｉｃ１０７を横に配列し、その下にグループＢに分類された画像Ｐｉｃ１０８〜Ｐｉｃ１１５を横に配列し、その下にグループＣに分類された画像Ｐｉｃ１１６〜Ｐｉｃ１２０を横に配列し、その下にグループＤに分類された画像Ｐｉｃ１２１〜Ｐｉｃ１３５を横に配列し、その下にグループＥに分類された画像Ｐｉｃ１３６〜Ｐｉｃ１４３を横に配列し、その下にグループＦに分類された画像Ｐｉｃ１４４〜ＰｉｃＸを配列したマトリクス形式となる。なお、グループＤに分類された画像Ｐｉｃ１２１〜Ｐｉｃ１３５のように分類された枚数が多い場合には、２列以上の複数の列に配列される。各グループの左端の画像の上方には、グループを識別する分類タグ２２が表示される。また、表示領域の右端にはスクロールバー２３が設けられている。画像数が多い場合には、スクロールバー２３を操作して表示領域を上下方向に移動させることによって全ての画像を表示することができる。
【００３０】
ところで、写真の枚数は、その撮影された日によって異なるので、仮に、複数の画像を単に「撮影日毎」に分類して一覧表示をしたとすると、図１２に示すように、分類される枚数の少ないグループの表示領域には、画像が表示されない余白部分が生じてしまうことが考えられる。そこで、本発明に用いる画像表示装置１１では、こうした余白部分を生じさせない工夫をしている。
【００３１】
以下、本発明の特徴的部分である画像の分類処理などについて、複数の画像Ｐｉｃ１〜Ｐｉｃ５０をモニタ１２に一覧表示をする場合を例に説明する。ＣＰＵ１３は先ず、図３に示すように、画像Ｐｉｃ１〜Ｐｉｃ５０をその撮影日時情報を基に「撮影月毎」のグループに分類する。具体的には、複数の画像Ｐｉｃ１〜Ｐｉｃ５０を、「３月」〜「８月」及び「１０月」〜「１２月」のグループに分類する。
【００３２】
そして、分類したグループ毎の画像の数をカウントする。その結果、「３月」のグループは画像Ｐｉｃ１、Ｐｉｃ２の２枚、「４月」のグループは画像Ｐｉｃ３〜Ｐｉｃ６の４枚、「５月」のグループは画像Ｐｉｃ７、Ｐｉｃ８の２枚、「６月」のグループは画像Ｐｉｃ９の１枚、「７月」のグループは画像Ｐｉｃ１０〜Ｐｉｃ１５の６枚、「８月」のグループは画像Ｐｉｃ１６〜Ｐｉｃ２４の９枚、「１０月」のグループは画像Ｐｉｃ２５〜Ｐｉｃ４２の１８枚、「１１月」のグループは画像Ｐｉｃ４３〜Ｐｉｃ４７の５枚、「１２月」のグループは画像Ｐｉｃ４８〜Ｐｉｃ５０の３枚とカウントされる。
【００３３】
さらに、カウントした画像の数が、詳しくは後述する規定画像数を超えるか否かを判定する。規定画像数以下と判定するグループの画像については、表示キューにそのまま「撮影月毎」に蓄積し、規定画像数を超えると判定されたグループの画像については、更に細かく「撮影日毎」のグループに分類し、表示キューに「撮影日毎」に蓄積する。
【００３４】
例えば、規定画像数が９枚である場合を考えると、「３月」〜「８月」、「１１月」、及び「１２月」の各グループに分類された画像は、規定画像数以下の２枚、４枚、２枚、１枚、６枚、９枚、５枚、３枚と、それぞれカウントされて、表示キューに「撮影月毎」に蓄積される。
【００３５】
一方、「１０月」のグループに分類された画像Ｐｉｃ２５〜Ｐｉｃ４２は、規定画像数を超える１８枚とカウントされて、更に細かく「撮影日毎」のグループに分類される。具体的には、画像Ｐｉｃ２５〜Ｐｉｃ３２は「１０月１０日」のグループ、画像Ｐｉｃ３３〜Ｐｉｃ３７は「１０月１２日」のグループ、画像Ｐｉｃ３８〜Ｐｉｃ４２は「１０月１５日」のグループに分類される。「撮影日毎」のグループに分類された画像Ｐｉｃ２５〜Ｐｉｃ４２は、表示キューに「撮影日毎」に蓄積される。
【００３６】
そして、ＣＰＵ１３は「撮影月毎」又は「撮影日毎」のグループ「３月」、「４月」、「５月」、「６月」、「７月」、「８月」、「１０月１０日」、「１０月１２日」、「１０月１５日」、「１１月」及び「１２月」のいずれに分類して表示キューに蓄積した画像Ｐｉｃ１〜Ｐｉｃ５０を、そのグループ毎に配列し、モニタ１２に一覧表示をする。例えば、図４に示すように、「７月」のグループ以降をモニタ１２に表示する場合、「７月」、「８月」、「１０月１０日」、「１０月１２日」、「１０月１５日」、「１１月」及び「１２月」のいずれのグループに分類した４１枚の画像Ｐｉｃ１０〜Ｐｉｃ５０の一覧表示をすることができる。なお、「３月」〜「６月」のいずれのグループに分類した画像Ｐｉｃ１〜Ｐｉｃ９については、モニタ１２の右端に設けられたスクロールバー２３を操作して表示領域を移動させることによって表示することができる。
【００３７】
一方、仮に画像Ｐｉｃ１〜Ｐｉｃ５０について、全てを「撮影日毎」に分類して一覧表示をする場合において、上記と同様に「７月の日毎」のグループ以降をモニタ１２に表示することを考えると、図１２に示すように、「７月９日」、「７月２５日」、「７月２７日」、「７月２９日」、「８月３日」、「８月１５日」及び「１０月１０日」のいずれのグループに分類した２３枚の画像Ｐｉｃ１０〜Ｐｉｃ３２だけの一覧表示がされる。このように、「撮影月毎」及び「撮影日毎」のグループに分類した場合は、全てを「撮影日毎」のグループに分類した場合と比較して、多くの画像の一覧表示をすることができ、限られた表示領域を有効に利用することができる。
【００３８】
なお、上述した規定画像数は、画像の表示サイズと表示領域のサイズによって予め決定されている。具体的には、表示領域に画像を横に配列したときに並べることのできる最大の枚数が規定画像数として決定される。これにより、画像の表示サイズや表示領域のサイズが異なる場合でも、その場合毎に適した画像の分類処理をすることができ、いずれの場合であっても多くの画像の一覧表示をすることができる。
【００３９】
画像Ｐｉｃ１〜Ｐｉｃ５０の一覧表示をした後に、画像の表示サイズ又は表示領域のサイズの変更があると、ＣＰＵ１３は、表示キューに蓄積されたデータをリセットし、画像の新たな表示サイズや表示領域の新たなサイズによって新たな規定画像数を決定する。ユーザが操作部１４を操作して、例えば縦横比を一定のまま画像の表示幅をＴｈＷ１からＴｈＷ２へ拡大する変更をした場合、ＣＰＵ１３は、表示キューに蓄積されたデータをリセットし、新たな表示幅ＴｈＷ２を基に規定画像数を９枚から６枚へと変更する。そして、その規定画像数を基に画像Ｐｉｃ１〜Ｐｉｃ５０に対して再度分類処理をする。この分類処理によって画像Ｐｉｃ１〜Ｐｉｃ５０は、表示キューにグループ毎に蓄積され、モニタ１２に一覧表示がされる。具体的には、図５に示すように、画像の表示幅の変更前は規定画像数以下であった「８月」のグループに分類されていた９枚の画像は、新たな規定画像数の６枚を超えると判定され、「８月３日」及び「８月１５日」の各グループに更に細かく分類されて一覧表示がされる。なお、分類された枚数が規定画像数の６枚より多い「撮影日毎」のグループである「１０月１０日」のグループに分類された８枚の画像は、２列に配列される。
【００４０】
また、ユーザが操作部１４を操作して、例えば縦横比を一定のまま表示領域の幅をＡｒＷ１からＡｒＷ２へ縮小する変更をした場合、ＣＰＵ１３は、表示キューに蓄積されたデータをリセットし、表示領域の新たな幅ＡｒＷ２を基に規定画像数を９枚から８枚へと変更する。そして、その規定画像数を基に画像Ｐｉｃ１〜Ｐｉｃ５０に対して再度分類処理をする。この分類処理によって画像Ｐｉｃ１〜Ｐｉｃ５０は、表示キューにグループ毎に蓄積され、モニタ１２に一覧表示がされる。具体的には、図６に示すように、表示領域のサイズの変更前は規定画像数以下であった「８月」のグループに分類されていた９枚の画像は、新たな規定画像数の８枚を超えると判定され、「８月３日」及び「８月１５日」の各グループに更に細かく分類されて一覧表示がされる。
【００４１】
以下、上記構成の画像表示装置１１の作用について、図７を参照しながら説明する。画像表示装置１１によって複数の画像の一覧表示をするときには、先ず、カードリーダ１７にメモリカード２０をセットして、そこに記憶された複数の画像Ｐｉｃ１〜Ｐｉｃ５０を画像表示装置１１へと取り込ませる。取り込まれた複数の画像Ｐｉｃ１〜Ｐｉｃ５０は、その撮影日時情報が読み取られ、その情報を基に「撮影月毎」のグループに分類される。そして、分類されたグループ毎の画像の数がカウントされる。さらに、カウントされた画像の数が規定画像数を超えるか否かが判定される。
【００４２】
規定画像数が９枚と設定されていた場合、規定画像数以下と判定された「３月」〜「８月」、「１１月」、及び「１２月」の各グループに分類された画像は、表示キューにそのまま「撮影月毎」に蓄積される。また、規定画像数を超えると判定された「１０月」のグループに分類された画像Ｐｉｃ２５〜Ｐｉｃ４２は、更に細かく「撮影日毎」のグループに分類され、表示キューに「撮影日毎」に蓄積される。そして、モニタ１２には、「撮影月毎」及び「撮影日毎」のグループのいずれに分類されて表示キューに蓄積された画像Ｐｉｃ１〜Ｐｉｃ５０の一覧表示がされる（図４）。このように、撮影された枚数の少ない月の画像はその「撮影月毎」のグループに分類され、撮影された枚数の多い月の画像は「撮影日毎」のグループに分類されて一覧表示がされるので、限られた表示領域に多くの画像の一覧表示をすることができる。
【００４３】
次に、画像の表示幅が変更された場合について、図８を参照しながら説明する。規定画像数を９枚として画像Ｐｉｃ１〜Ｐｉｃ５０が一覧表示された後に、画像の表示幅をＴｈＷ１からＴｈＷ２へ拡大する変更がされた場合、モニタ１２への一覧表示はクリアされ、表示キューに蓄積されたデータはリセットされる。そして、画像の新たな表示幅ＴｈＷ２を基に新たな規定画像数が６枚と決定される。この新たな規定画像数を基に画像Ｐｉｃ１〜Ｐｉｃ５０に対して再度分類処理がされ、新たに一覧表示がされる（図５）。
【００４４】
続いて、表示領域の幅が変更された場合について、図９を参照しながら説明する。規定画像数を９枚として画像Ｐｉｃ１〜Ｐｉｃ５０が一覧表示された後に、表示領域の幅をＡｒＷ１からＡｒＷ２へ縮小する変更がされた場合、モニタ１２への一覧表示はクリアされ、表示キューに蓄積されたデータはリセットされる。そして、表示領域の新たな幅ＡｒＷ２を基に新たな規定画像数が８枚と決定される。この新たな規定画像数を基に画像Ｐｉｃ１〜Ｐｉｃ５０に対して再度分類処理がされ、新たに一覧表示がされる（図６）。
【００４５】
なお、上記実施形態において、分類タグの表示態様は、「撮影月毎」のグループと「撮影日毎」のグループとが同一である場合を例に説明したが、その階層の違いによって異なっても良い。例えば、図１０に示すように、「撮影月毎」のグループである「８月」のグループの分類タグ２４を枠付きとし、「撮影日毎」のグループである「１０月１０日」のグループの分類タグ２２と異なる表示態様とする。これにより、画像の分類状況を容易に把握することができる。
【００４６】
また、上記実施形態において、画像の表示態様は、「撮影月毎」のグループと「撮影日毎」のグループとが同一である場合を例に説明したが、その階層の違いによって異なっても良い。例えば、図１１に示すように、「撮影月毎」のグループである「８月」のグループの背景２５を他の部分と異なる色彩とする。これにより、画像の分類状況を容易に把握することができる。
【００４７】
また、上記実施形態において、画像データの分類は、「撮影月毎」及び「撮影日毎」のグループで実施される場合を例に説明したが、この階層に限定されるのではなく、例えば「撮影週毎」及び「撮影日毎」のグループといったグループで実施されても良い。
【００４８】
また、上記実施形態において、画像データの分類は、「撮影月毎」及び「撮影日毎」の２階層のグループで実施される場合を例に説明したが、これに限定されるのではなく、例えば「撮影年毎」、「撮影月毎」及び「撮影日毎」といった３階層以上のグループで実施されても良い。
【００４９】
また、上記実施形態において、画像の分類カテゴリーが撮影日時である場合を例に説明したが、これに限定されるのではなく、例えば、撮影位置を分類カテゴリーとしても良い。具体的には、ＧＰＳ機能を有したデジタルカメラによって撮影された画像の一覧表示をする場合などに考えられる。この場合グループの分類は、例えば「撮影された都道府県毎」及び「撮影された市町村毎」のグループで実施される。
【００５０】
また、上記実施形態において、画像記憶媒体としてメモリカードを例に説明しているが、メモリカードではなく、ＣＤ、ＤＶＤ、ＵＳＢメモリなど各種の画像記憶媒体を使用しても良い。
【００５１】
また、上記実施形態において、一覧表示をする画像は、カードリーダ１７によってメモリカード１９から読み込まれる場合を例に説明したが、これに限定されるのではなく、例えば、ＵＳＢコントローラ１８によりＵＳＢケーブル２１を介してデジタルカメラから読み込まれても良い。また、予めストレージ１５に記憶させておいても良い。
【００５２】
また、上記実施形態において、画像表示装置１１は、パーソナルコンピュータにプログラム１９をインストールして実現される場合を例に説明したが、これに限定されるのではなく、例えば、プログラムがインストールされたデジタルカメラであっても良い。この場合、その背面に設けられる液晶ディスプレイをモニタとして複数の画像の一覧表示がされる。
【図面の簡単な説明】
【００５３】
【図１】本発明が実施される画像表示装置の構成を示すブロック図である。
【図２】画像の表示配列を説明する図である。
【図３】画像の分類処理を説明する図である。
【図４】画像の一覧表示の態様を示す図である。
【図５】画像の表示サイズ変更後の画像の一覧表示の態様を示す図である。
【図６】表示領域のサイズ変更後の画像の一覧表示の態様を示す図である。
【図７】画像の一覧表示までの処理手順を示すフローチャートである。
【図８】画像の表示サイズを基に規定画像数を変更して新たに一覧表示をする処理手順を示すフローチャートである。
【図９】表示領域のサイズを基に規定画像数を変更して新たに一覧表示をする処理手順を示すフローチャートである。
【図１０】分類タグについて説明する図である。
【図１１】画像の表示態様について説明する図である。
【図１２】従来技術による画像の一覧表示の態様を示す図である。
【符号の説明】
【００５４】
１１  画像表示装置
１２  モニタ
１３  ＣＰＵ
１４  操作部
１５  データストレージデバイス（ストレージ）
１６  ＲＡＭ
１７  カードリーダ
１８  ＵＳＢコントローラ
１９  画像表示プログラム（プログラム）
２０  メモリカード
２１  ＵＳＢケーブル
２２、２４  分類タグ
２３  スクロールバー
２５  背景
Ｐｉｃ１〜Ｐｉｃ５０、Ｐｉｃ１０１〜Ｐｉｃ１４８、ＰｉｃＸ  画像
ＴｈＷ１、ＴｈＷ２  表示幅
ＡｒＷ１、ＡｒＷ２  表示領域の幅
【図１】
2007304862.tif 000003
【図２】
2007304862.tif 000004
【図３】
2007304862.tif 000005
【図４】
2007304862.tif 000006
【図５】
2007304862.tif 000007
【図６】
2007304862.tif 000008
【図７】
2007304862.tif 000009
【図８】
2007304862.tif 000010
【図９】
2007304862.tif 000011
【図１０】
2007304862.tif 000012
【図１１】
2007304862.tif 000013
【図１２】
2007304862.tif 000014